【手続補正書】
【提出日】平成30年7月30日(2018.7.30)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）放送信号を受信するＯＦＤＭ受信機であって、前記受信されたＯＦＤＭ放送信号が複数のフレームを伝え、各フレームがプリアンブル部分および後続データ部分を含み、後続データ部分が送信前にフィルタリングされている場合に少なくとも１つのプリアンブル部分が前記受信機に情報を伝える、前記ＯＦＤＭ受信機と、
後続データ部分が送信前にフィルタリングされている場合に、前記情報に応答して、送信前に前記フィルタリングを補償するために前記後続データ部分を処理するようにフィルタを制御するプロセッサと
を含む、受信機。
【請求項２】
前記ＯＦＤＭ放送信号が、ＤＶＢ−Ｔ２に従ってフォーマットされている、請求項１に記載の受信機。
【請求項３】
各フレームがＴ２フレームであり、前記プリアンブル部分がＬ１プレシグナリング・テーブルである、請求項２に記載の受信機。
【請求項４】
受信機において使用される方法であって、
直交周波数分割多重（ＯＦＤＭ）放送信号を受信することであって、前記受信されたＯＦＤＭ放送信号が複数のフレームを伝え、各フレームがプリアンブル部分および後続データ部分を含み、後続データ部分が送信前にフィルタリングされている場合に少なくとも１つのプリアンブル部分が前記受信機に情報を伝える、ことと、
後続データ部分が送信前にフィルタリングされている場合に、前記情報に応答して、送信前に前記フィルタリングを補償するために前記後続データ部分を処理するようにフィルタを制御することと
を含む、方法。
【請求項５】
前記ＯＦＤＭ放送信号が、ＤＶＢ−Ｔ２に従ってフォーマットされている、請求項４に記載の方法。
【請求項６】
各フレームがＴ２フレームであり、前記プリアンブル部分がＬ１プレシグナリング・テーブルである、請求項５に記載の方法。
【請求項７】
直交周波数分割多重（ＯＦＤＭ）放送信号を送信する装置であって、
前記ＯＦＤＭ放送信号に対する隣接チャネル干渉（ＡＣＩ）のレベルを推定するＡＣＩ推定器と、
前記ＡＣＩのレベルが閾値より高い場合に、前記ＯＦＤＭ放送信号を選択的にフィルタリングするフィルタと
を含む、装置。
【請求項８】
前記ＯＦＤＭ放送信号が、ＤＶＢ−Ｔ２に従ってフォーマットされている、請求項７に記載の装置。
【請求項９】
前記ＯＦＤＭ放送信号がいつフィルタリングされたかを示すために前記ＯＦＤＭ放送信号におけるシグナリング情報を修正するプロセッサ
をさらに含む、請求項７に記載の装置。
【請求項１０】
前記ＯＦＤＭ放送信号が、ＤＶＢ−Ｔ２に従ってフォーマットされており、前記シグナリング情報がＬ１プレシグナリング・テーブルである、請求項９に記載の装置。
【請求項１１】
直交周波数分割多重（ＯＦＤＭ）放送信号を送信する送信機において使用される方法であって、
前記ＯＦＤＭ放送信号に対する隣接チャネル干渉（ＡＣＩ）のレベルを推定することと、
前記ＡＣＩのレベルが閾値より高い場合に、前記ＯＦＤＭ放送信号を選択的にフィルタリングすることと
を含む、方法。
【請求項１２】
前記ＯＦＤＭ放送信号が、ＤＶＢ−Ｔ２に従ってフォーマットされている、請求項１１に記載の方法。
【請求項１３】
前記ＯＦＤＭ放送信号がいつフィルタリングされたかを示すために前記ＯＦＤＭ放送信号におけるシグナリング情報を修正すること
をさらに含む、請求項１１に記載の方法。
【請求項１４】
前記ＯＦＤＭ放送信号が、ＤＶＢ−Ｔ２に従ってフォーマットされており、前記シグナリング情報がＬ１プレシグナリング・テーブルである、請求項１３に記載の方法。
【手続補正２】
【補正対象書類名】明細書
【補正対象項目名】００２６
【補正方法】変更
【補正の内容】
【００２６】
上記を考慮して、前述は単に本発明の原理を示し、従って、当業者は多くの代替の構成を考案することができ、多くの代替の構成は、本明細書では明示的に説明されていないが、本発明の原理を具体化し、その精神および範囲内であることが理解されよう。従って、本発明の精神および範囲から逸脱することなく、例示的な実施形態に対する多くの変更を行うことができ、他の構成を考案できることを理解されたい。
上記実施形態の一部又は全部は、以下の付記のようにも記載されうるが、以下には限られない。
（付記１）
直交周波数分割多重（ＯＦＤＭ）放送信号を受信するＯＦＤＭ受信機であって、前記受信されたＯＦＤＭ放送信号が複数のフレームを伝え、各フレームがプリアンブル部分および後続データ部分を含み、後続データ部分が送信前にフィルタリングされている場合に少なくとも１つのプリアンブル部分が前記受信機に情報を伝える、前記ＯＦＤＭ受信機と、
後続データ部分が送信前にフィルタリングされている場合に、前記情報に応答して、送信前に前記フィルタリングを補償するために前記後続データ部分を処理するようにフィルタを制御するプロセッサと
を含む、受信機。
（付記２）
前記ＯＦＤＭ放送信号が、ＤＶＢ−Ｔ２に従ってフォーマットされている、付記１に記載の受信機。
（付記３）
各フレームがＴ２フレームであり、前記プリアンブル部分がＬ１プレシグナリング・テーブルである、付記２に記載の受信機。
（付記４）
受信機において使用される方法であって、
直交周波数分割多重（ＯＦＤＭ）放送信号を受信することであって、前記受信されたＯＦＤＭ放送信号が複数のフレームを伝え、各フレームがプリアンブル部分および後続データ部分を含み、後続データ部分が送信前にフィルタリングされている場合に少なくとも１つのプリアンブル部分が前記受信機に情報を伝える、ことと、
後続データ部分が送信前にフィルタリングされている場合に、前記情報に応答して、送信前に前記フィルタリングを補償するために前記後続データ部分をフィルタリングすることと
を含む、方法。
（付記５）
前記ＯＦＤＭ放送信号が、ＤＶＢ−Ｔ２に従ってフォーマットされている、付記４に記載の方法。
（付記６）
各フレームがＴ２フレームであり、前記プリアンブル部分がＬ１プレシグナリング・テーブルである、付記５に記載の方法。
（付記７）
直交周波数分割多重（ＯＦＤＭ）放送信号を送信する装置であって、
前記ＯＦＤＭ放送信号に対する隣接チャネル干渉（ＡＣＩ）のレベルを推定するＡＣＩ推定器と、
前記ＡＣＩのレベルが閾値より高い場合に、前記ＯＦＤＭ放送信号を選択的にフィルタリングするフィルタと
を含む、装置。
（付記８）
前記ＯＦＤＭ放送信号が、ＤＶＢ−Ｔ２に従ってフォーマットされている、付記７に記載の装置。
（付記９）
前記ＯＦＤＭ放送信号がいつフィルタリングされたかを示すために前記ＯＦＤＭ放送信号におけるシグナリング情報を修正するプロセッサ
をさらに含む、付記７に記載の装置。
（付記１０）
前記ＯＦＤＭ放送信号が、ＤＶＢ−Ｔ２に従ってフォーマットされており、前記シグナリング情報がＬ１プレシグナリング・テーブルである、付記９に記載の装置。
（付記１１）
直交周波数分割多重（ＯＦＤＭ）放送信号を送信する送信機において使用される方法であって、
前記ＯＦＤＭ放送信号に対する隣接チャネル干渉（ＡＣＩ）のレベルを推定することと、
前記ＡＣＩのレベルが閾値より高い場合に、前記ＯＦＤＭ放送信号を選択的にフィルタリングすることと
を含む、方法。
（付記１２）
前記ＯＦＤＭ放送信号が、ＤＶＢ−Ｔ２に従ってフォーマットされている、付記１１に記載の方法。
（付記１３）
前記ＯＦＤＭ放送信号がいつフィルタリングされたかを示すために前記ＯＦＤＭ放送信号におけるシグナリング情報を修正すること
をさらに含む、付記１１に記載の方法。
（付記１４）
前記ＯＦＤＭ放送信号が、ＤＶＢ−Ｔ２に従ってフォーマットされており、前記シグナリング情報がＬ１プレシグナリング・テーブルである、付記１３に記載の方法。